(57)【要約】      （修正有）【課題】取付架台のビス穴から生じる雨漏りを防止する雨漏り防止部材を提供する。【解決手段】雨水誘導面２０とボックスとを有する。雨水誘導面２０は、差し込み部２１と主部２２と耳２３とを有する。差し込み部２１は、第１の屋根材と第２の屋根材との隙間に挿入される。主部２２は差し込み部２１から連続して形成され、かつ主部２２の裏面は第２の屋根材の表面に接触し、かつ主部２２の表面を雨水が流れる。耳２３は、主部２２から連続して形成されかつボックスの左又は右に配置され、かつ耳２３の表面を雨水が流れる。ボックスは、トップと斜面と側面３３と天端３４とを有する。トップは、主部２２から連続して形成され、かつ主部２２の表面を流れる雨水を左右いずれかの方向に流す。側面３３は、耳２３および斜面から連続して形成される。天端３４はトップ、斜面および側面３３から連続して形成される。ボックスの下端部は開口部４０となっている。開口部４０の高さは取付架台の高さよりも高い。【選択図】図１
0003177607.tif 000002
【実用新案登録請求の範囲】
【請求項１】
第１の屋根材の下に第２の屋根材が配置され、第２の屋根材の下に第３の屋根材が配置され、前記第１の屋根材の表面から前記第２の屋根材の表面を経て前記第３の屋根材の表面へ雨水が流れる屋根であって、かつ前記第２の屋根材又は前記第３の屋根材の少なくとも一方に形成されたビス穴に通したビスを用いて取付架台が固定される屋根の前記ビス穴から生じる雨漏りを防止するための雨漏り防止部材であって、
雨水誘導面とボックスとを有し、
前記雨水誘導面は、差し込み部と主部と耳とを有し、
前記差し込み部は、前記第１の屋根材と前記第２の屋根材との隙間に挿入され、
前記主部は前記差し込み部から連続して形成され、かつ前記主部の裏面は前記第２の屋根材の表面に接触し、かつ前記主部の表面を前記雨水が流れ、
前記耳は、前記主部から連続して形成されかつ前記ボックスの左又は右に配置され、かつ前記耳の表面を前記雨水が流れ、
前記ボックスは、トップと斜面と側面と天端とを有し、
前記トップは、前記主部から連続して形成され、かつ前記主部の表面を流れる雨水を左右いずれかの方向に流し、
前記斜面は、前記主部および前記トップから連続して形成され、
前記側面は、前記耳および前記斜面から連続して形成され、
前記天端は前記トップ、前記斜面および前記側面から連続して形成され、
前記ボックスの下端部は開口部となっていて、かつ前記開口部の高さは前記取付架台の高さよりも高い、ことを特徴とする雨漏り防止部材。
【請求項２】
前記ボックスの前記下端部に折り返し部が設けられている、請求項１に記載の雨漏り防止部材。
【考案の詳細な説明】
【技術分野】
【０００１】
本考案は、ソーラー発電用パネルなどを屋根に取付る時又は屋根に取り付けた後に使用する雨漏り防止部材に関する。
【背景技術】
【０００２】
＜ソーラー設置の現在・将来＞
一般住宅の屋根に設置するソーラー発電については、環境問題などの観点から、国としても、補助金を出すなどしてソーラー（太陽光）発電用パネルの屋根への設置（「ソーラー設置」とも記載する。）を推奨してきた。さらに、ソーラー発電による売電と買電の価格に差をつけるなど、政策的にも普及を後押ししてきた。また、福島原子力発電所の事故を契機に、エネルギー問題が活発化していることから、ソーラー設置が全国的に増加しつつあり、将来的にさらに大幅な増加をすることが容易に想像される。
ソーラー設置に用いる取付架台（「ソーラー架台」とも記載する。）なども種々提案されている（例えば、特許文献１参照）。
【０００３】
＜従来のソーラー架台の設置方法＞
ソーラー架台を設置する際、屋根仕上げ材の上からビスをもみこむ、いわゆる“脳天釘打ち”と呼ばれる手法で固定する。この手法は、雨仕舞い的にはＮＧと言っても過言ではない手法である。
屋根仕上げ材（スレート屋根＜新生瓦＞など）の下に、屋根下葺き材（アスファルトルーフィングなど）、その下に野地板合板、その下に垂木があり、下地の垂木位置の検出が、屋根上からでは困難であるため、通常は野地板合板に直接固定されることが多い。この工法では、１次防水であるスレ−ト屋根そのものに穴があくと同時に、２次防水である下葺材にもビス穴があき、せっかくの防水シートを破ることになる。屋根の上は、地上から高い位置にあるため風が強く、固定した架台にもぐらつきが生じる。地震などの揺れでも同じくぐらつきが生じる。その結果、ビス穴が緩むことになり、ビス穴のシール性も失われ、長時間の雨量・風向き・風力によって、ビス穴から雨漏りが発生することになる。このビス穴が原因で発生した雨漏りを止めるのは非常に難しく、簡単な手直しだけでは、雨漏りを止めることは出来ない。
【０００４】
＜ソーラー設置を原因とする雨漏りトラブルの増加＞
そんな中、ソーラー設置を原因とする雨漏りトラブルの増加が問題となってきた。
一般住宅のスレート屋根（新生瓦）にソーラー設置をする場合、一般的には、屋根仕上げ材の上から、屋根下地材（防水シート・野地板・垂木）に対してビスを打ち込み、そのビスによってソーラー架台を屋根の上に固定する工法が採用されている。ところが、この従来工法では、１次防水である屋根材と、２次防水である屋根下葺き材（アスファルトルーフィングなど）、さらには、構造体である野地板合板の全てに穴をあけることになり、その穴が雨漏りの原因となっている事例が急増している。このことは雨仕舞いの観点から考えれば、当然の結果と言っても過言ではない。この従来工法によるソーラー設置が今後も続けば、ソーラー設置が原因の雨漏りトラブルは今後もますます増え続けることが予想される。
【０００５】
また、一般的にソーラーの設置工事は、ソーラー業者が行うが、当然、建築の専門家ではなく、特に雨漏り対策に関する知識が乏しい業者が多いのが現実である。しかも、ソーラーを設置するために、屋根材に穴をあけることにより、建築施工業者は、雨漏りに対する保証が免責となってしまうという問題もある。結果、その場合の雨漏りの保証はソーラー業者が行うことになる。
【０００６】
「住宅の品質確保の促進等に関する法律」により、雨漏りの保証期間は本来１０年であるにもかかわらず、ソーラーを設置することにより、その保証の確実性が損なわれている現状があり、あわせて問題化している。そのようなことから、ソーラー設置後の雨漏りに関して、誰も責任を負うことなく、建築主が泣き寝入りしているケースもある。
【先行技術文献】
【特許文献】
【０００７】
【特許文献１】実用新案登録第３１０１４３７号公報
【考案の概要】
【考案が解決しようとする課題】
【０００８】
本考案が解決しようとする課題は、１次防水である屋根材、２次防水である屋根下葺き材（アスファルトルーフィングなど）、および構造体である野地板合板の一部又は全てに穴をあけざるを得ない場合、ならびに既に穴をあけてしまっている場合であっても、その穴が雨漏りの原因とならないようにすることである。
【課題を解決するための手段】
【０００９】
前記課題を解決する本考案に係る雨漏り防止部材、第１の屋根材の下に第２の屋根材が配置され、第２の屋根材の下に第３の屋根材が配置され、前記第１の屋根材の表面から前記第２の屋根材の表面を経て前記第３の屋根材の表面へ雨水が流れる屋根であって、かつ前記第２の屋根材又は前記第３の屋根材の少なくとも一方に形成されたビス穴に通したビスを用いて取付架台が固定される屋根の前記ビス穴から生じる雨漏りを防止するための雨漏り防止部材である。
本考案に係る雨漏り防止部材は、雨水誘導面とボックスとを有する。
前記雨水誘導面は、差し込み部と主部と耳とを有する。
前記差し込み部は、前記第１の屋根材と前記第２の屋根材との隙間に挿入される。
前記主部は前記差し込み部から連続して形成され、かつ前記主部の裏面は前記第２の屋根材の表面に接触し、かつ前記主部の表面を前記雨水が流れる。
前記耳は、前記主部から連続して形成されかつ前記ボックスの左又は右に配置され、かつ前記耳の表面を前記雨水が流れる。
前記ボックスは、トップと斜面と側面と天端とを有する。
前記トップは、前記主部から連続して形成され、かつ前記主部の表面を流れる雨水を左右いずれかの方向に流す。
前記斜面は、前記主部および前記トップから連続して形成される。
前記側面は、前記耳および前記斜面から連続して形成される。
前記天端は前記トップ、前記斜面および前記側面から連続して形成される。
前記ボックスの下端部は開口部となっていて、かつ前記開口部の高さは前記取付架台の高さよりも高い。
【考案の効果】
【００１０】
本考案の雨漏り防止部材は、主に一般住宅のスレート屋根（新生瓦）の上にソーラー発電を設置する際に取り付けて使用するか、又は既に設置されているソーラー発電について使用する。
本考案の雨漏り防止部材を使用することによって、雨漏り対策の専門家でなくても、比較的簡単に施工することが可能であり、かつソーラー架台固定用のビスを原因とする雨漏りの大半を防止することが可能になる。
【図面の簡単な説明】
【００１１】
【図１】本考案の雨漏り防止部材の一例を示す斜視図である。
【図２】本考案の雨漏り防止部材の一例を示す三方図である。
【図３】本考案の雨漏り防止部材の使用状態の一例を示すイメージ図である。
【図４】本考案の雨漏り防止部材の他の例を示す斜視図である。
【図５】本考案の雨漏り防止部材の他の例を示す三方図である。
【考案を実施するための形態】
【００１２】
以下、本考案の実施の形態を図面を用いて説明する。
図１は本考案の実施の形態に係る雨漏り防止部材の斜視図を示し、図２は図１に示した雨漏り防止部材の正面図、平面図および側面図を示し、図３は図１に示した雨漏り防止部材を屋根に取り付けた状態を示す。
【００１３】
図１および図２に示すように、本考案の実施の形態に係る雨漏り防止部材１０は、雨水誘導面２０とボックス３０とを有する。雨水誘導面２０は、差し込み部２１と主部２２と耳２３とを有し、ボックス３０は、トップ３１と斜面３２と側面３３と天端３４とを有する。
図３に示すように、差し込み部２１は、第１の屋根材５１ａと第２の屋根材５１ｂとの間に挿し込んで使用する。雨水誘導面２０の下面は、一部が第２の屋根材５１ｂに接し、他の部分は第３の屋根材５１ｃに対向している。
主部２２は差し込み部２１から連続して形成され、かつ主部２２の裏面は第２の屋根材５１ｂの表面に接触している。主部２２の表面を雨水が流れる。
耳２３は、主部２２から連続して形成されかつボックス３０の左又は右に配置される。主部２２の表面を流れてきた雨水は、耳２３の表面を流れていく。
【００１４】
ボックス３０は、トップ３１と斜面３２と側面３３と天端３４とを有する。
トップ３１は、主部２２から連続して形成される。主部の表面を流れてきた雨水は、トップ３１に当たって左右いずれかの斜面３２の方向に流れる。
ここで「連続して形成される」とは、トップ３１と主部２２が一つの部材を加工変形して形成されていることを必ずしも意味するものではない。トップ３１と主部２２との間に雨水が浸み込んで行かない程度にトップ３１と主部２２とが密接していれば良く、トップ３１と主部２２が別々の部材としてそれぞれ形成された後に、それらが接着又は溶接等によって連続して形成されたものであっても良い。他の部材間に関しても同様である。
斜面３２は、主部２２およびトップ３１から連続して形成される。
側面３３は、耳２３および斜面３２から連続して形成される。
天端３４はトップ３１、斜面３２および側面３３から連続して形成される。
ボックス３０の下端部（側面３３および天端３４の下端部）は開口部４０となっている。開口部４０の高さは取付架台（ソーラー架台）５４の高さよりも高く、ソーラー架台５４はボックス３０内（トップ３１、斜面３２および側面３３に囲まれ、天端３４に覆われた空間内）に納まる。
【００１５】
ソーラー架台５４は、ビス５３によって屋根に取り付けられている。ビス５３は、屋根材（屋根仕上げ材）５１および屋根下葺き材５２を貫通している。
降雨の際に雨漏り防止部材１０が存在しなければ、雨水は屋根材（屋根仕上げ材）５１の表面を上方から下方へ（第１の屋根材５１ａから第２の屋根材５１ｂへ、第２の屋根材５１ｂから第３の屋根材５１ｃへ）と流れる。
【００１６】
しかし、降雨の際に雨漏り防止部材１０が存在すれば、トップ３１は、屋根面の上方から流れてくる雨水を左右の斜面３２のいずれかの方に逃がす。つまり、第１の屋根材５１ａから雨水誘導面２０の主部２２へ流れてきた雨水を左右いずれかの斜面３２へ、そして側面３３および耳２３へと逃がし、第３の屋根材５１ｃへと流れるようにする。
このようにして屋根面の上方から流れてくる雨水がビス５３およびそのビス穴の周辺に流れ込まないようにすることができる。
【００１７】
天端３４は、降り注ぐ雨水がビス５３およびそのビス穴の周辺に直接降り注がないようにガードする。つまり、ボックス３０の天端３４が存在しなければビス５３およびそのビス穴の周辺に直接降り注いだであろう雨水は、天端３４の上面を流れ、そしてソーラー加地５４のビス５３よりも下方に位置する部分又は第３の屋根材５１ｃの表面へと落ちていく。
このようにして、降り注ぐ雨水がビス５３およびそのビス穴の周辺に流れ込まないようにすることができる。
【００１８】
本考案の雨漏り防止部材は、トップライトなどの屋根部材として使用されることの多いポリカーボネートなど、長期間の劣化に対する耐久性のある樹脂製、もしくはガルバリウム鋼板などの薄い鋼板（板金）で製作する。紫外線と雨水が直接あたるため、耐久性のある材料でなければならない。また、屋根材と屋根材の間に挿し込んで使用するので、ある程度の柔軟性が求められる。
【００１９】
＜雨漏り防止部材に付加するオプションのアイデア＞
雨漏り防止効果を高めるために、以下のようにすることが好ましい。
１）図４に示すように、雨漏り防止部材のボックス３０の下端部を折り返して、折り返し部を形成する。図４（ａ）は天端３４の下端部のみに折り返し部３５を形成した例を示し、図（ｂ）は耳２３と側面３３と天端３４の下端部に折り返し部３６を形成した例を示す。
折り返し部３５又は３６を設けることによって、天端３４の表面から、ソーラー架台５４のボックス３０内に納まりきらない部分に、雨水が流れ落ちることを防止することができる。
２）両面ブチルテープを用いて雨漏り防止部材をソーラー架台に貼りつけて固定する。
３）雨水が流れてくる水上の面の形状を三角形にして水はけを良くする。
４）差し込み部２１の形状を図４（ａ）に示すように三角形にしておく。
５）差し込み口の形状を、間口が広く奥になると狭い台形型にする。
６）スレート屋根の固定釘に当たる場合はカットし、差し込みやすくする。
７）立上り部分やコーナー部にRを付けて雨水が流れやすくする。
８）冬場など、接着力を高めるため、ブチルシーリングで固定する。
９）差し込み部分を板金などで補強する。
10）部材と屋根材をクリップのようなもので固定する。
11）部材の上部を折込んで水返しとする。
12）ソーラー架台の部材の大きさに応じて、複数の種類の部材を作っておく。
14）ソーラー架台と雨漏り防止部材の組み合わせで一体型のものを作る。
15）高さのあるソーラー架台の時、当たる部分をその都度切り込むのではなく、くし状にしておいて何処でもさせるようにしておく。
16）側部パーツは同材質のZ型形状とし、適当な長さのものをつなぎ合わせブチルテープで固定する。
17）側部に羽根状の水返しを付ける。
18）部材の裏側に防水スポンジを貼り雨水を入りにくくする。
19）風で煽られた時、当たる部分の取付部材が擦れる音がしない様な材質を使用する。
20）ソーラー架台に針金やインシュロックなどで固定出来るようにする。
【実施例】
【００２０】
平成１９年に、図３に示した寸法（単位：ｍｍ）のスレート瓦屋根の上にソーラー発電用パネルを設置した（神奈川県相模原市南区）。ビス穴の直径は５ｍｍであり、屋根の傾斜角度は、３寸勾配（水平１尺に対して３寸の立ち上がり）で、角度にすると約１７度であった。
ｔａｎ１６．７°＝０．３００
平成２２年に、ソーラー架台取付ビス穴からの雨漏り発生が確認された。
【００２１】
＜比較例１＞
実施日：平成２４年５月７日
当該物件・スレート瓦屋根において、雨漏り防止部材を取り付けていない状態で、屋根上部（棟あたり）から散水ホースにて毎分２５リットルの水を流し続けたところ、約２０分後、降雨時と同じようにビス穴から雨漏りが発生したことを天井裏にて確認した。
【００２２】
＜実施例１＞
実施日：平成２４年５月１８日
前記の屋根に、図２に示した寸法（単位：ｍｍ）の雨漏り防止部材を取り付けた状態で、比較例１と同じように屋根上部から散水ホースにて毎分２５リットルの水を流し続けたが、約２時間かけ続けても雨漏りが全く再現されなかった。
【００２３】
比較例１、実施例１の試験とも、散水の強さや、水をかける場所、水のかけ方などは全く同じとしたので、この試験結果から、雨漏り防止部材を取り付けたことで、雨漏りを防止することが出来ることが確認できた。
なお、雨漏り防止部材の各部のサイズは、図２や図３に示したサイズに限定されるものではない。例えば、図５に示したサイズやそれ以外でも良いことは言うまでもない。
【００２４】
＜雨漏り防止部材を取付ける際の補助的な工法（２次防水）＞
雨量の多い場合に、若干の雨水が、屋根仕上げ材の裏にまわり、屋根下葺き材であるアスファルトルーフィングの上にも浸入する。つまりアスファルトルーフィング上にも若干の雨水が流れる可能性がある。このため雨漏り防止部材だけで、完全に防水性能を確保することができない場合もある。
そこで、架台固定用のビスを施工する際、予めドリル開口し、そのビス穴に対して、シーリング材を充分な量で注入し、ビスの周りのシール性をより高める必要がある。屋根下葺き材のアスファルトルーフィングと、屋根仕上げ材との隙間空間には、毛細管現象による雨水が長期間滞留する場合が多い。雨水が滞留すると、雨漏れは必然的に発生する。したがって、アスファルトルーフィングの上に、シーリング材で直径５０ｍｍ前後の土手をつくり、ビス穴を取り囲む。シーリング材の高さは屋根仕上げ材までとする。この全ビス穴に対するシーリング材の施工により、ビス穴の部分から雨水が浸入しないことになる。
【産業上の利用可能性】
【００２５】
前記の如く、新規にソーラー設置を行う場合、又は既にソーラー設置を行った場合に、架台設置用ビス穴周辺に浸入する雨水を寄せ付けず、ソーラー設置によるビス穴を原因とする雨漏りトラブルをなくすことが可能である。
【符号の説明】
【００２６】
１０  雨漏り防止部材
２０  雨水誘導面
２１  差し込み部、      ２２  主部、      ２３  耳
３０  ボックス
３１  トップ、      ３２  斜面、      ３３  側面、      ３４  天端
３５、３６  折り返し部
４０  開口部
【図１】
0003177607.tif 000003
【図２】
0003177607.tif 000004
【図４】
0003177607.tif 000005
【図５】
0003177607.tif 000006
【図３】
0003177607.tif 000007